(57)【特許請求の範囲】
【請求項１】
移動体端末（１０）に試験に必要な信号を送信する送信部（２１）、移動体端末から送信された信号を受信する受信部（２２）および前記送信部と前記受信部を制御して前記移動体端末の試験を行なう制御部（３０）とを備え、所定周波数幅の帯域をもって互いに隣接する第１キャリアの信号と第２キャリアの信号とを用いた通信が可能なデュアルキャリア方式の移動体端末との間で信号の授受を行い、該移動体端末のオープンループパワー試験を行なう移動体端末試験装置において、
前記制御部が、
前記第１キャリアの信号を出力させるためのメッセージを、前記送信部を介して前記移動体端末に送出する第１キャリア送信指示手段（３１）と、
前記第１キャリア送信指示手段がメッセージを出力するタイミングに合わせて、前記受信部を前記第１キャリアの信号を受信できる状態に設定する第１キャリア受信設定手段（３２）と、
前記第１キャリア受信設定手段によって前記第１キャリアの信号を受信できる状態に設定された後に前記受信部で受信される信号のパワーを監視し、該パワーの変移量が予め設定された所定のトリガレベルを超えたタイミングから所定時間経過後のパワーを前記第１キャリアの信号のパワーとして検出する第１キャリアパワー検出手段（３３）と、
前記第１キャリアパワー検出手段によって前記第１キャリアの信号のパワーが検出された後に、該第１キャリアの信号成分のうち、前記第２キャリアの信号帯域に含まれる漏れ成分のパワーが前記トリガレベルを越えない範囲となるように前記移動体端末の送信電力を低下させるためのメッセージを、前記送信部を介して前記移動体端末に送出する第１キャリア低下指示手段（３４）と、
前記第１キャリア低下指示手段によって前記移動体端末の送信電力が低下した後、前記第２キャリアの信号を出力させるためのメッセージを、前記送信部を介して前記移動体端末に送出する第２キャリア送信指示手段（３５）と、
前記第２キャリア送信指示手段がメッセージを出力するタイミングに合わせて、前記受信部を前記第２キャリアの信号を受信できる状態に設定する第２キャリア受信設定手段（３６）と、
前記第２キャリア受信設定手段によって前記第２キャリアの信号を受信できる状態に設定された後に前記受信部で受信される信号のパワーを監視し、該パワーの変移量が前記トリガレベルを超えたタイミングから所定時間経過後のパワーを前記第２キャリアの信号のパワーとして検出する第２キャリアパワー検出手段（３７）とを備えたことを特徴とする移動体端末試験装置。
【請求項２】
所定周波数幅の帯域をもって互いに隣接する第１キャリアの信号と第２キャリアの信号とを用いた通信が可能なデュアルキャリア方式の移動体端末との間で信号の授受を行い、該移動体端末のオープンループパワー試験を行なうための移動体端末試験方法において、
前記第１キャリアの信号を出力させるためのメッセージを前記移動体端末に送出するとともに、前記移動体端末から出力される第１キャリアの信号を受信できる状態に設定する段階と、
前記第１キャリアの信号を受信できる状態で受信信号のパワーを監視し、該受信信号のパワーの変移量が予め設定された所定のトリガレベルを越えたタイミングから所定時間経過後のパワーを前記第１キャリアの信号のパワーとして検出する段階と、
前記第１キャリアの信号のパワーが検出された後に、該第１キャリアの信号成分のうち、前記第２キャリアの信号帯域に含まれる漏れ成分のパワーが前記トリガレベルを越えない範囲となるように前記移動体端末の送信電力を低下させるためのメッセージを、前記移動体端末に送出する段階と、
前記移動体端末の送信電力が低下した後に、前記第２キャリアの信号を出力させるためのメッセージを前記移動体端末に送出するとともに、前記第２キャリアの信号を受信できる状態に設定する段階と、
前記第２キャリアの信号を受信できる状態で受信信号のパワーを監視し、該受信信号のパワーの変移量が前記トリガレベルを越えたタイミングから所定時間経過後のパワーを前記第２キャリアの信号のパワーとして検出する段階とを含むことを特徴とする移動体端末試験方法。
【発明の詳細な説明】
【技術分野】
【０００１】
本発明は、携帯電話やスマートフォン等の移動体端末との間で通信を行い、その試験を行なう試験装置において、デュアルキャリア方式に対応した移動体端末の試験を正しく行なうための技術に関する。
【背景技術】
【０００２】
携帯電話やスマートフォンなどの移動体通信システムに要求される性能は年々高くなっており、大量の情報を高速に伝達できるように様々な技術が開発されている。
【０００３】
その一つの方式として、３ＧのＷ−ＣＤＭＡ方式では、これまでの１ユーザーに対し５ＭＨｚ幅の１つのキャリアの割り当てる方式から、図４に示すように、５ＭＨｚ幅で隣接する２つのキャリアを割り当てるＤＣ−ＨＳＵＰＡ方式が提案され、この方式に対するオープンループパワー測定の規格として、３ＧＰＰ  ＴＳ３４．１２１  ５．４．１Ａが規定されている。
【０００４】
この規定によれば、始めに図５の（ａ）のように、端末側から中心周波数ｆ１の５ＭＨｚ幅の第１キャリアの信号Ｓ１を出力させ、これを試験装置側で受信してそのパワーＰ１を検出し、その後、図５の（ｂ）のように、第２キャリアの信号Ｓ２も出力させ、試験装置側でこの第２キャリアの信号Ｓ２を受信してそのパワーＰ２を検出する。なお、ここでいうパワーは、ピークパワー（スペクトルの最大値）とする。
【０００５】
上記試験を行なうために考えられる試験装置側の処理としては、図６に示しているように、所定タイミングｔ０に移動体端末に対して第１キャリアの信号Ｓ１の出力を指示するとともに、受信周波数を周波数ｆ１に設定する。第１キャリアの信号Ｓ１の出力指示を受けた移動体端末があるタイミングｔ１に図５の（ａ）のように第１キャリアの信号Ｓ１を出力すると、試験装置側で検出されるパワーがそのタイミングｔ１に急激に大きくなる。このタイミングｔ１を測定の基準タイミングとして検出するために、装置側では所定のトリガレベルＬｔ（例えば６０ｄＢ）と検出パワーの立ち上がりの変移量ΔＰａを比較する。この場合、第１キャリアの信号Ｓ１が通常のパワー（例えば２０ｄＢｍ程度）で出力されていれば、変移量ΔＰａがトリガレベルＬｔを越えるので、このタイミングｔ１を基準として所定時間Ｔｓが経過したタイミングｔ２に第１キャリアの信号Ｓ１のパワーを検出する。
【０００６】
このようにして第１キャリアの信号Ｓ１のパワー検出が完了した後の所定タイミングｔ３に、移動体端末に対し、第２キャリアの信号Ｓ２の出力を指示するとともに、その信号Ｓ２の受信ができるように受信周波数をｆ２に切り替える。
【０００７】
この受信周波数の切替えにより、第１キャリアの信号Ｓ１は受信されなくなって、検出パワーはほぼゼロまで低下する。
【０００８】
そして、第２キャリアの信号の出力指示を受けた移動体端末が、あるタイミングｔ４に図５の（ｂ）のように、信号Ｓ１に隣接する５ＭＨｚ幅の第２キャリアの信号Ｓ２を出力すると、試験装置側で検出されるパワーがそのタイミングｔ４に急激に大きくなり、その立ち上がりの変移量ΔＰｂがトリガレベルＬｔを越えて、このタイミングｔ４から所定時間Ｔｓが経過したタイミングｔ５に第２キャリアの信号Ｓ２のパワーが検出される。
【０００９】
試験装置では、このようにして得られた信号Ｓ１、Ｓ２のパワーに基づいて、デュアルキャリア方式に対応した移動体端末の性能試験を行なうことになる。
【００１０】
なお、同技術分野の関連技術が特許文献１に記載されている。
【先行技術文献】
【特許文献】
【００１１】
【特許文献１】特表２０１２−５３０４４０
【発明の概要】
【発明が解決しようとする課題】
【００１２】
しかし、実際に試験される移動体端末には、図７のように、第１キャリアの信号Ｓ１と第２キャリアの信号Ｓ２の帯域が拡がっていてその一部が重複しているものがある。
【００１３】
この場合、図８の（ａ）に示しているように、試験装置側で受信周波数を信号Ｓ１から信号Ｓ２を受信できる状態に切り替えたとき（ｔ３）、信号Ｓ１の一部（漏れ分）が第２キャリアの信号受信帯域に入るため、第２キャリアの信号Ｓ２が送出されていないにも関わらず、特定のパワーＰｘが検出されることになる。そして、この状態から移動体端末が所定タイミングｔ４に第２キャリアの信号Ｓ２を出力すると、試験装置側で検出されるパワーは、信号Ｓ２のパワーＰ２まで増加するが、その立ち上がりの変移量ΔＰｂは、第１キャリアの信号Ｓ１の漏れ分のパワーＰｘと第２キャリアの信号Ｓ２の本来のパワーＰ２との差分に減少してしまう。ここで、例えばＰｘとＰ２の差が５０ｄＢしかないと、６０ｄＢのトリガレベルＬｔを越えられなくなり、この場合、第２キャリアの信号Ｓ２のパワー検出が行えなくなる。なお、第２キャリアの信号Ｓ２に重複している第１キャリアの信号Ｓ１の漏れ分は、第２キャリアの信号Ｓ２の帯域に重なっているのでパワーとして増加されない。
【００１４】
また、トリガ検出方式として、受信周波数の切替時の誤動作防止のために、トリガ入力を一端ゼロにリセットする方式のものが多いが、この方式の場合、入力がゼロリセットされた直後に第１キャリアの信号Ｓ１の漏れ分による検出パワーＰｘが入力されることになり、ゼロリセット時の入力レベル（例えば−１００ｄＢｍ）とパワーＰｘ（−３０ｄＢｍ）との差が６０ｄＢのトリガレベルＬｔを越える場合も生じる。
【００１５】
この場合、図８の（ｂ）に示しているように、第２キャリアの信号Ｓ２が入力されていないにも関わらず、受信周波数の切替えタイミングｔ３とほぼ同じタイミングに第２キャリアの信号Ｓ２が入力されたものと判断し、そのタイミングｔ３から所定時間Ｔｓが経過したタイミングｔ４′に誤ったパワー検出をしてしまうという問題も生じる。
【００１６】
本発明は、この問題を解決し、デュアルキャリア方式に対応した移動体端末のパワー測定を正しく行なうことができる移動体端末試験装置および試験方法を提供することを目的としている。
【課題を解決するための手段】
【００１７】
前記目的を達成するために、本発明の請求項１の移動体端末試験装置は、
移動体端末（１０）に試験に必要な信号を送信する送信部（２１）、移動体端末から送信された信号を受信する受信部（２２）および前記送信部と前記受信部を制御して前記移動体端末の試験を行なう制御部（３０）とを備え、所定周波数幅の帯域をもって互いに隣接する第１キャリアの信号と第２キャリアの信号とを用いた通信が可能なデュアルキャリア方式の移動体端末との間で信号の授受を行い、該移動体端末のオープンループパワー試験を行なう移動体端末試験装置において、
前記制御部が、
前記第１キャリアの信号を出力させるためのメッセージを、前記送信部を介して前記移動体端末に送出する第１キャリア送信指示手段（３１）と、
前記第１キャリア送信指示手段がメッセージを出力するタイミングに合わせて、前記受信部を前記第１キャリアの信号を受信できる状態に設定する第１キャリア受信設定手段（３２）と、
前記第１キャリア受信設定手段によって前記第１キャリアの信号を受信できる状態に設定された後に前記受信部で受信される信号のパワーを監視し、該パワーの変移量が予め設定された所定のトリガレベルを超えたタイミングから所定時間経過後のパワーを前記第１キャリアの信号のパワーとして検出する第１キャリアパワー検出手段（３３）と、
前記第１キャリアパワー検出手段によって前記第１キャリアの信号のパワーが検出された後に、該第１キャリアの信号成分のうち、前記第２キャリアの信号帯域に含まれる漏れ成分のパワーが前記トリガレベルを越えない範囲となるように前記移動体端末の送信電力を低下させるためのメッセージを、前記送信部を介して前記移動体端末に送出する第１キャリア低下指示手段（３４）と、
前記第１キャリア低下指示手段によって前記移動体端末の送信電力が低下した後、前記第２キャリアの信号を出力させるためのメッセージを、前記送信部を介して前記移動体端末に送出する第２キャリア送信指示手段（３５）と、
前記第２キャリア送信指示手段がメッセージを出力するタイミングに合わせて、前記受信部を前記第２キャリアの信号を受信できる状態に設定する第２キャリア受信設定手段（３６）と、
前記第２キャリア受信設定手段によって前記第２キャリアの信号を受信できる状態に設定された後に前記受信部で受信される信号のパワーを監視し、該パワーの変移量が前記トリガレベルを超えたタイミングから所定時間経過後のパワーを前記第２キャリアの信号のパワーとして検出する第２キャリアパワー検出手段（３７）とを備えたことを特徴とする。
【００１８】
また、本発明の請求項２の移動体端末試験方法は、
所定周波数幅の帯域をもって互いに隣接する第１キャリアの信号と第２キャリアの信号とを用いた通信が可能なデュアルキャリア方式の移動体端末との間で信号の授受を行い、該移動体端末のオープンループパワー試験を行なうための移動体端末試験方法において、
前記第１キャリアの信号を出力させるためのメッセージを前記移動体端末に送出するとともに、前記移動体端末から出力される第１キャリアの信号を受信できる状態に設定する段階と、
前記第１キャリアの信号を受信できる状態で受信信号のパワーを監視し、該受信信号のパワーの変移量が予め設定された所定のトリガレベルを越えたタイミングから所定時間経過後のパワーを前記第１キャリアの信号のパワーとして検出する段階と、
前記第１キャリアの信号のパワーが検出された後に、該第１キャリアの信号成分のうち、前記第２キャリアの信号帯域に含まれる漏れ成分のパワーが前記トリガレベルを越えない範囲となるように前記移動体端末の送信電力を低下させるためのメッセージを、前記移動体端末に送出する段階と、
前記移動体端末の送信電力が低下した後に、前記第２キャリアの信号を出力させるためのメッセージを前記移動体端末に送出するとともに、前記第２キャリアの信号を受信できる状態に設定する段階と、
前記第２キャリアの信号を受信できる状態で受信信号のパワーを監視し、該受信信号のパワーの変移量が前記トリガレベルを越えたタイミングから所定時間経過後のパワーを前記第２キャリアの信号のパワーとして検出する段階とを含むことを特徴とする。
【発明の効果】
【００１９】
このように、本発明では、第１キャリアの信号のパワーを検出した後に、移動体端末に対して送信電力低下を指示するメッセージを送信して、第１キャリアの信号成分のうち、第２キャリアの信号帯域に含まれる漏れ成分のパワーがトリガレベルを越えない範囲となるようにしてから、第２キャリアの信号を受信するようにしている。
【００２０】
このように第２キャリアの信号帯域に含まれる第１キャリアの信号の漏れ成分のパワーがトリガレベルより小さくなることで、移動体端末から第２キャリアの信号が出力されたときに検出されるパワーの変移量が十分大きくなって、トリガレベルを越える確率が極めて高くなる。このため、第２キャリアの信号のパワー検出を確実に行なうことができる。
【００２１】
また、受信周波数の切替え時にトリガ入力をリセットする方式を採用している場合であっても、第１キャリアの信号の漏れ成分のパワーがトリガレベルより小さくなっているから、リセット直後にパワー変移量がトリガレベルを越えることがなくなり、このタイミングを、第２のキャリアの信号の入力タイミングと誤る恐れがなくなる。
【図面の簡単な説明】
【００２２】
【図１】本発明の実施形態の構成図
【図２】実施形態の動作を説明するための図
【図３】実施形態の動作を説明するための図
【図４】デュアルキャリア方式の説明図
【図５】デュアルキャリア方式のパワー測定の際の移動体端末の送信手順を示す図
【図６】隣接する信号帯域が分離された理想的な移動体端末に対する試験結果を示す図
【図７】試験対象の移動体端末の実際の出力スペクトラムの一例を示す図
【図８】図７に示した出力スペクトラムをもつ移動体端末に対する試験結果を示す図
【発明を実施するための形態】
【００２３】
以下、図面に基づいて本発明の実施の形態を説明する。
図１は、本発明を適用した移動体端末試験装置（以下、単に試験装置と記す）２０の構成を示している。
【００２４】
この試験装置２０は、試験に必要な信号を生成してカプラ２０ａを介して試験対象の移動体端末１０に与える送信部２１、移動体端末１０から送信された信号を、カプラ２０ａを介して受けて試験に必要な信号を抽出する受信部２２、および送信部２１と受信部２２を制御して移動体端末１０に対する種々の試験を行なう制御部３０とを備えている。
【００２５】
試験装置２０が行なう試験の内容は多岐にわたり、基本的には、基地局が移動体端末に対して行なう信号授受と同様の処理を行って呼接続状態とし、試験に必要な各種のメッセージを送り、それに対する移動体端末１０の応答を観測することになるが、ここでは、前記したように、所定周波数幅の帯域をもって互いに隣接する第１キャリアの信号と第２キャリアの信号とを用いた通信が可能なデュアルキャリア方式の移動体端末との間で信号の授受を行い、移動体端末のオープンループパワー試験を行なう場合について説明する。
【００２６】
上記試験を行なうために、実施形態の制御部３０には、図１に機能ブロック化して示しているように、第１キャリア送信指示手段３１、第１キャリア受信設定手段３２、第１キャリアパワー検出手段３３、第１キャリア低下指示手段３４、第２キャリア送信指示手段３５、第２キャリア受信設定手段３６、第２キャリアパワー検出手段３７を備えている。
【００２７】
第１キャリア送信指示手段３１は、所定タイミングｔ０（例えば試験者による装置に対する特定操作があったとき）に、呼接続状態にある移動体端末１０に対し、デュアルキャリア方式の通信に用いる所定周波数ｆ１の第１キャリアの信号を出力させるためのメッセージを、送信部２１を介して移動体端末１０に送出する。
【００２８】
第１キャリア受信設定手段３２は、第１キャリア送信指示手段３１がメッセージを出力したタイミングに合わせて、周波数ｆ１の第１キャリアの信号を受信できる状態に受信部２２の受信周波数を設定する。受信部２２はこのタイミングｔ０で周波数ｆ１の信号を受信できる状態となる。なお、ここでは、第１キャリアの送信指示のタイミングに対して受信周波数の設定のタイミングを同時とするが直前であってもよく、メッセージに対する移動体端末１０の応答時間より短い時間であれば、第１キャリアの送信指示のタイミングより受信周波数の設定が遅れてもよい。
【００２９】
試験装置２０から第１キャリアの信号を出力させるためのメッセージを受けた移動体端末１０は、図２の（ａ）に示すように、所定タイミングｔ１に、指定された第１キャリアの信号Ｓ１を所定パワー（安定した通信が可能な必要十分なパワー）で送信する。
【００３０】
この移動体端末１０から送信された第１キャリアの信号は受信部２２で受信され、そのパワーが検出される。
【００３１】
第１キャリアパワー検出手段３３は、図３に示すように、受信部２２の受信周波数が第１キャリアの信号の周波数に設定されたタイミングｔ０から継続的に検出されるパワーを監視し、移動体端末１０が第１キャリアの信号Ｓ１を送信したことにより、パワーの立ち上がりの変移量ΔＰａが予め設定された所定のトリガレベルＬｔを越えたタイミングｔ１から所定時間（測定値の安定に必要な時間）経過したタイミングｔ２のパワーを第１キャリアの信号Ｓ１のパワーＰ１として検出する。
【００３２】
そして、第１キャリアパワー検出手段３３によって第１キャリアの信号Ｓ１のパワーＰ１が検出された後の所定タイミングｔ３に、第１キャリア低下指示手段３４が、移動体端末１０に対し、第１キャリアの信号Ｓ１の成分のうち、第２キャリアの信号帯域に含まれる漏れ成分のパワーＰｘがトリガレベルＬｔを越えない範囲となるように送信電力を低下させるためのメッセージを送出する。
【００３３】
このメッセージを受けた移動体端末１０は送信電力を低下させる。この移動体端末１０による送信電力低下処理はクローズドループモードで行なわれ、図３に示しているように、試験装置２０からの次の指示があるまで一定量（例えば１ｄＢ）ずつ継続的に行なわれる。
【００３４】
試験装置２０は、移動体端末１０から送信される第１キャリアの信号Ｓ１のパワーを監視し、図２の（ｂ）に示すように、最初に検出されたパワーＰ１に対して十分低い値（第２キャリアの信号帯域に含まれる漏れ成分のパワーＰｘがトリガレベルＬｔを越えない範囲となる値）、例えば相対値で−４０ｄＢ減少するパワーＰ１′に達するまで行なわせる。
【００３５】
このように第１キャリアの信号Ｓ１の出力パワーを低下させることで、受信周波数をｆ２に切り替えたタイミングに検出される第１キャリアの信号の漏れ成分のパワーをさらに低くすることができ、その後に受信される第２キャリアの信号Ｓ２に対するトリガを正しく行なうことができる。なお、通常、第１キャリアの信号Ｓ１には制御チャネルが含まれるので、その送信電力をゼロにすることはできず、通信が可能なパワーに維持する必要がある。例えば第１キャリアの信号Ｓ１の通常のパワーが２０ｄＢｍの場合で４０ｄＢ低下させた場合−２０ｄＢｍとなり、そのうちの第２キャリアの信号帯域に含まれる漏れ成分はさらに小さく（例えば−４０ｄＢ）なる。
【００３６】
このようにして、移動体端末１０の第１キャリアの信号Ｓの送信電力が十分低下した後の所定タイミングｔ４に、第２キャリア送信指示手段３５が、周波数ｆ２の第２キャリアの信号Ｓ２を出力させるためのメッセージを移動体端末１０に送出する。
【００３７】
また、このメッセージの送出に合わせて、第２キャリア受信設定手段３６によって、受信部２２が第２キャリアの信号Ｓ２を受信できるように受信中心周波数がｆ２に設定される。受信部２２はこのタイミングｔ４で周波数ｆ２の信号を受信できる状態となる。
【００３８】
この受信周波数の切替えにより、受信部２２で検出されるパワーは、図２の（ｂ）に示しているように、パワーが低下した第１キャリアの信号Ｓ１の成分のうち、周波数ｆ２を中心とする隣接帯域内に入る漏れ成分のパワーＰｘ′だけであり、仮にこの漏れ成分のパワーＰｘ′が、Ｐ１（２０ｄＢｍ）から８０ｄＢ低下した−６０ｄＢｍとし、トリガリセット時の入力電力を−１００ｄＢｍとすれば、その立ち上がりの変移量は４０ｄＢとなり、トリガレベルＬｔの６０ｄＢを越えない。よって図３のように、受信周波数の切替え時に検出される漏れ成分よるパワーがトリガレベルＬｔを越えることはない。このタイミングｔ４を第２キャリアの信号Ｓ２の入力タイミングと誤る恐れはない。
【００３９】
試験装置２０から第２キャリアの信号Ｓ２を出力させるためのメッセージを受けた移動体端末１０は、所定タイミングｔ５に、図２の（ｃ）のように、第１キャリアの信号Ｓ１を低電力で送信したまま、第２キャリアの信号Ｓ２を所定パワーで送信する。
【００４０】
制御部３０の第２キャリアパワー検出手段３３は、図３に示しているように、受信部２２の受信周波数が第２キャリアの信号Ｓ２を受信するための周波数ｆ２に設定されたタイミングｔ４から継続的に検出されるパワーを監視し、そのパワーの変移量がトリガレベルＬｔを越えるか否かを調べ、移動体端末１０からの第２キャリアの信号Ｓ２の送信によって、パワーの変移量ΔＰｂがトリガレベルＬｔを超えたタイミングｔ５から所定時間Ｔｓが経過したタイミングｔ６のパワーを第２キャリアの信号Ｓ２のパワーＰ２として検出する。ここで検出されるパワーＰ２には、隣接帯域の第１キャリアの信号Ｓ１の漏れ成分も含まれるが帯域内の成分であるからパワーに変動を与えない。
【００４１】
ここで、前記したように、第２キャリアの信号を移動体端末１０から送出させる前に、第１キャリアの信号Ｓ１の送信電力を大きく低減させているので、受信部２２の周波数を第２キャリアの信号Ｓ２を受信できる状態に切り替えたときの漏れ成分のパワーを低く（例えば−６０ｄＢｍ）することができ、その後に移動体端末１０から第２キャリアの信号Ｓ２が所定のパワー（例えば２０ｄＢｍ）で出力された時のパワーの変移量ΔＰｂが十分大きく（例えば８０ｄＢ）なって、トリガレベルＬｔを越え、トリガタイミングの検出を正しく行なうことができ、正確なパワー検出が行なえる。
【００４２】
このようにして、移動体端末１０が出力した第１キャリアの信号Ｓ１と第２キャリアの信号Ｓ２のパワーを検出することで、デュアルキャリア方式におけるオープンループパワー試験を行なうことができる。
【００４３】
なお、上記説明では、第１キャリアの信号Ｓ１の送信電力を低下させる際に、移動体端末１０との間のクローズループモードを用いて所定ステップずつ送信電力を低下させていたが、低減時の電力を予め設定しておき、その設定値と、第１キャリアの信号Ｓ１に対して最初に測定されたパワーＰ１との差分を、試験装置２０側から移動体端末１０に知らせて、その送信電力をより大きなステップで低下させることも可能であり、そのようにすれば、測定時間を短縮することができる。
【符号の説明】
【００４４】
１０……移動体端末、２０……移動体端末試験装置、２１……送信部、２２……受信部、３０……制御部、３１……第１キャリア送信指示手段、３２……第１キャリア受信設定手段、３３……第１キャリアパワー検出手段、３４……第１キャリア低下指示手段、３５……第２キャリア送信指示手段、３６……第２キャリア受信設定手段、３７……第２キャリアパワー検出手段
【図１】
0006007226.tif 000002
【図２】
0006007226.tif 000003
【図３】
0006007226.tif 000004
【図４】
0006007226.tif 000005
【図５】
0006007226.tif 000006
【図６】
0006007226.tif 000007
【図７】
0006007226.tif 000008
【図８】
0006007226.tif 000009